(57)【要約】    【課題】  広画角、大口径比で迅速なフォーカシングが容易で、しかも長いバックフォーカスが容易に得られる撮影光学系を得ること。    【解決手段】  物体側より像側へ順に、正の屈折力の第１レンズ群、負の屈折力の第２レンズ群、開口絞り、正の屈折力の第３レンズ群を有し、遠距離物体から近距離物体へのフォーカシングに際し、第２レンズ群が像側へ移動する撮影光学系であって、第３レンズ群は、物体側より像側へ順に、第３レンズ群の最大の空気間隔をはさんで互いに凹面を向けた２つのレンズ、正レンズを有し、全系の焦点距離ｆ、第２レンズ群の焦点距離ｆ２を各々適切に設定すること。【選択図】    図１
2014123018.tif 000002
【特許請求の範囲】
【請求項１】
物体側より像側へ順に、正の屈折力の第１レンズ群、負の屈折力の第２レンズ群、開口絞り、正の屈折力の第３レンズ群を有し、遠距離物体から近距離物体へのフォーカシングに際し、前記第２レンズ群が像側へ移動する撮影光学系であって、
前記第３レンズ群は、物体側より像側へ順に、前記第３レンズ群の最大の空気間隔をはさんで互いに凹面を向けた２つのレンズ、正レンズを有し、全系の焦点距離をｆ、前記第２レンズ群の焦点距離をｆ２とするとき、
０．７０＜｜ｆ２／ｆ｜＜２．５０
なる条件式を満足することを特徴とする撮影光学系。
【請求項２】
前記第３レンズ群の最大の空気間隔をはさんで像側に配置されるレンズの物体側のレンズ面の曲率半径をＲ３ｂ、前記第３レンズ群の焦点距離をｆ３とするとき、
０．２５＜｜Ｒ３ｂ／ｆ３｜＜０．６０
なる条件式を満足することを特徴とする請求項１に記載の撮影光学系。
【請求項３】
前記第３レンズ群の最大の空気間隔をはさんで物体側に配置されるレンズの像側のレンズ面の曲率半径をＲ３ａ、前記第３レンズ群の最大の空気間隔をはさんで像側に配置されるレンズの物体側のレンズ面の曲率半径をＲ３ｂとするとき、
０．０２＜（Ｒ３ａ＋Ｒ３ｂ）／（Ｒ３ａ−Ｒ３ｂ）＜０．８０
なる条件式を満足することを特徴とする請求項１又は２に記載の撮影光学系。
【請求項４】
物体側より像側へ順に、正の屈折力の第１レンズ群、負の屈折力の第２レンズ群、開口絞り、正の屈折力の第３レンズ群を有し、遠距離物体から近距離物体へのフォーカシングに際し、前記第２レンズ群が像側へ移動する撮影光学系であって、
前記第３レンズ群は、物体側より像側へ順に、物体側のレンズ面が負の屈折力の負レンズＧ３ｂｂと正レンズを有し、全系の焦点距離をｆ、前記第２レンズ群をｆ２、前記第３レンズ群の焦点距離をｆ３、前記負レンズＧ３ｂｂの物体側のレンズ面の曲率半径をＲ３ｂｂとするとき、
０．７０＜｜ｆ２／ｆ｜＜２．５０
０．２５＜｜Ｒ３ｂｂ／ｆ３｜＜０．６０
なる条件式を満足することを特徴とする撮影光学系。
【請求項５】
前記第２レンズ群は、少なくとも１つの正レンズＧ２ｐと少なくとも１つの負レンズを有し、前記正レンズＧ２ｐの材料のアッベ数をνｄとするとき、
νｄ＜２３．５
なる条件式を満足することを特徴とする請求項１乃至４のうちいずれか１項に記載の撮影光学系。
【請求項６】
前記第１レンズ群の焦点距離をｆ１とするとき、
０．７０＜ｆ１／ｆ＜１．２０
なる条件式を満足することを特徴とする請求項１乃至５のうちいずれか１項に記載の撮影光学系。
【請求項７】
前記第３レンズ群の焦点距離をｆ３とするとき、
０．７０＜ｆ３／ｆ＜１．５０
なる条件式を満足することを特徴とする請求項１乃至６のうちいずれか１項に記載の撮影光学系。
【請求項８】
前記第１レンズ群の焦点距離をｆ１、前記第３レンズ群の焦点距離をｆ３とするとき、
０．６０＜ｆ１／ｆ３＜１．３０
なる条件式を満足することを特徴とする請求項１乃至７のうちいずれか１項に記載の撮影光学系。
【請求項９】
前記第３レンズ群に含まれる正レンズのうち、最も屈折力が強い正レンズの焦点距離をｆｐとするとき、
０．３０＜ｆｐ／ｆ＜１．００
なる条件式を満足することを特徴とする請求項１乃至８のうちいずれか１項に記載の撮影光学系。
【請求項１０】
光電変換素子に像を形成することを特徴とする請求項１乃至９のうちいずれか１項に記載の撮影光学系。
【請求項１１】
請求項１乃至１０のうちいずれか１項に記載の撮影光学系と、該撮影光学系によって形成される像を受光する光電変換素子とを備えることを特徴とする撮像装置。
【発明の詳細な説明】
【技術分野】
【０００１】
本発明は、撮影光学系及びそれを有する撮像装置に関し、例えば、デジタルスチルカメラ、デジタルビデオカメラ、ＴＶカメラ、監視用カメラ、銀塩フィルム用カメラ等の撮影光学系として好適なものである。
【背景技術】
【０００２】
デジタルスチルカメラや銀塩フィルム用カメラ等のうち、一眼レフカメラに用いられる撮影光学系には、撮影画角が４０°から６０°程度と広画角化が求められている。更に撮影光学系の像側にフィルター等の光学部材を配置するために所定の長さのバックフォーカスを有すること等が求められている。また、これらの撮影光学系には、高い光学性能を有すると共に、大口径比で、しかも迅速なフォーカシングを行うこと等が求められている。大口径比化により高速なシャッタースピードが得られ、例えば屋内撮影等において手振れを低減することが容易となる。
【０００３】
一般に撮影光学系におけるフォーカシング方式としては撮影光学系全体を移動させる方式や、撮影光学系の一部の光学系を移動させたりする方式がある。これらの方式のうち、撮影光学系の中間レンズ群でフォーカシングを行う所謂インナーフォーカス方式が知られている。このインナーフォーカス方式は、撮影光学系全系を移動させるフォーカシング方式に対して、フォーカシングレンズ群の移動量が少なくすることができ、また、フォーカシングレンズ群の小型化と軽量化が容易である。
【０００４】
その結果、フォーカシングに際しての移動を高速に行うことができ、また、フォーカシング時の駆動トルクを低減することができるため、例えば自動焦点検出装置を有する撮影装置に適用したときは駆動モータを小型化することが容易になる。
【０００５】
従来、撮影画角が比較的広画角で、長いバックフォーカスを有し、インナーフォーカス方式を用いた撮影光学系が知られている（特許文献１，２）。特許文献１および特許文献２では、物体側より像側へ順に、正の屈折力の第１レンズ群、負の屈折力の第２レンズ群、正の屈折力の第３レンズ群を有し、第２レンズ群にてフォーカシングを行った撮影光学系を開示している。
【先行技術文献】
【特許文献】
【０００６】
【特許文献１】特開平１−１５４１１１号公報
【特許文献２】特開平１−１８５５０７号公報
【発明の概要】
【発明が解決しようとする課題】
【０００７】
インナーフォーカス方式では比較的、小型軽量のレンズ群でフォーカシングすることができ、迅速なるフォーカシングが容易である。また撮影可能な最短撮影距離が短い等の特徴がある。
【０００８】
しかしながら一般に光学系全体を移動させるフォーカス方式に対し、インナーフォーカス方式では、フォーカスレンズ群を移動させたときの収差変動が大きくなり、物体距離全域にわたり良好に収差補正を行うことが困難である。例えば撮影光学系の開口絞り近傍に配置された中間レンズ群においてフォーカシングを行うインナーフォーカス方式では、フォーカシングに際して、球面収差、コマ収差の収差変動が大きくなる。このときの収差変動は撮影光学系を大口径比化すると、その傾向が顕著となる。
【０００９】
また、撮影画角が４０°から６０°程度と広画角なインナーフォーカス方式を用いた撮影光学系において大口径比化を図ると、各レンズのレンズ厚が増加してくる。この結果、フォーカスレンズ群を移動するためのスペースを十分長く確保するため、バックフォーカスが短くなる傾向があった。
【００１０】
そのため、インナーフォーカス方式を用いて撮影光学系において広画角化及び大口径比化を図る場合には、フォーカスレンズ群を含め、撮影光学系を構成する各レンズ群の屈折力やレンズ構成等を適切に設定することが必要となる。これらの構成を適切に構成しないと、フォーカシングに際して収差変動が増大し、物体距離全般にわたり高い光学性能を得るのが困難になる。特に広画角化、大口径比化を図りつつ、長いバックフォーカスを得るのが困難になる。
【００１１】
本発明は、広画角、大口径比で迅速なフォーカシングが容易で、しかも長いバックフォーカスが容易に得られる撮影光学系の提供を目的とする。
【課題を解決するための手段】
【００１２】
本発明の撮影光学系は、物体側より像側へ順に、正の屈折力の第１レンズ群、負の屈折力の第２レンズ群、開口絞り、正の屈折力の第３レンズ群を有し、遠距離物体から近距離物体へのフォーカシングに際し、前記第２レンズ群が像側へ移動する撮影光学系であって、前記第３レンズ群は、物体側より像側へ順に、前記第３レンズ群の最大の空気間隔をはさんで互いに凹面を向けた２つのレンズ、正レンズを有し、全系の焦点距離をｆ、前記第２レンズ群の焦点距離をｆ２とするとき、
０．７０＜｜ｆ２／ｆ｜＜２．５０
なる条件式を満足することを特徴としている。
【発明の効果】
【００１３】
本発明によれば、広画角、大口径比で迅速なフォーカシングが容易で、しかも長いバックフォーカスが容易に得られる撮影光学系が得られる。
【図面の簡単な説明】
【００１４】
【図１】本発明の実施例１のレンズ断面図
【図２】（Ａ），（Ｂ）  本発明の実施例１の無限遠物体と至近距離物体のときの収差図
【図３】本発明の実施例２のレンズ断面図
【図４】（Ａ），（Ｂ）  本発明の実施例２の無限遠物体と至近距離物体のときの収差図
【図５】本発明の実施例３のレンズ断面図
【図６】（Ａ），（Ｂ）  本発明の実施例３の無限遠物体と至近距離物体のときの収差図
【図７】本発明の実施例４のレンズ断面図
【図８】（Ａ），（Ｂ）  本発明の実施例４の無限遠物体と至近距離物体のときの収差図
【図９】本発明の撮像装置の要部概略図
【発明を実施するための形態】
【００１５】
以下、本発明の撮影光学系および、それを有する撮像装置について説明する。
【００１６】
本発明の撮影光学系は、物体側より像側へ順に、正の屈折力の第１レンズ群、負の屈折力の第２レンズ群、開口絞り、正の屈折力の第３レンズ群を有する。そして遠距離物体から近距離物体へのフォーカシングに際し、第２レンズ群が像側へ移動する。
【００１７】
図１は本発明の撮影光学系の実施例１の無限遠物体にフォーカシングしたとき（合焦時）のレンズ断面図である。図２（Ａ），（Ｂ）は実施例１の撮影光学系において無限遠物体と至近距離物体（４５０ｍｍ）に合焦時の縦収差図である。実施例１は撮影画角４７．２度、Ｆナンバー１．４５程度の撮影光学系である。
【００１８】
図３は本発明の撮影光学系の実施例２の無限遠物体にフォーカシングしたときのレンズ断面図である。図４（Ａ），（Ｂ）は実施例２の撮影光学系において無限遠物体と至近距離物体（３００ｍｍ）に合焦時の縦収差図である。実施例２は撮影画角６２．１８度、Ｆナンバー１．４５程度の撮影光学系である。
【００１９】
図５は本発明の撮影光学系の実施例３の無限遠物体にフォーカシングしたときのレンズ断面図である。図６（Ａ），（Ｂ）は実施例３の撮影光学系において無限遠物体と至近距離物体（４５０ｍｍ）に合焦時の縦収差図である。実施例３は撮影画角４２．６６度、Ｆナンバー１．４５程度の撮影光学系である。
【００２０】
図７は本発明の撮影光学系の実施例４の無限遠物体にフォーカシングしたときのレンズ断面図である。図８（Ａ），（Ｂ）は実施例４の撮影光学系において無限遠物体と至近距離物体（４５０ｍｍ）に合焦時の縦収差図である。実施例４は撮影画角４６．１８度、Ｆナンバー１．４５程度の撮影光学系である。
【００２１】
ここで至近距離物体は後述する数値実施例をｍｍ単位で表したときの数値である。図９は本発明の撮像装置の要部概略図である。レンズ断面図において左側が物体側（前方、拡大側）、右側が像側（後方、縮小側）である。ＯＬは撮影光学系であり、物体側から像側へ順に正の屈折力の第１レンズ群Ｌ１、負の屈折力の第２レンズ群Ｌ２、開口絞りＳＰ、正の屈折力の第３レンズ群Ｌ３より成っている。
【００２２】
Ｇ２ｐ、Ｇ２ｎはそれぞれ第２レンズ群Ｌ２を構成する正レンズと負レンズである。Ｇ３ａ，Ｇ３ｂはそれぞれ第３レンズ群Ｌ３中の最大の空気間隔をはさんで互いに凹面を向けたレンズである。Ｇ３ｐは正レンズである。
【００２３】
ＩＰは像面であり、ビデオカメラやデジタルスチルカメラの撮影光学系として用いる際には像面はＣＣＤセンサやＣＭＯＳセンサ等の固体撮像素子（光電変換素子）の撮像面に相当する。また銀塩フィルムカメラ用として用いる際には、像面はフィルム面に相当する。球面収差図において、実線のｄはｄ線、一点鎖線のｇはｇ線を表わしている。点線のＳ．Ｃは正弦条件である。
【００２４】
非点収差図において、破線のΔＭはｄ線のメリディオナル像面、実線のΔＳはｄ線のサジタル像面を表わす。また歪曲収差はｄ線によって表している。倍率色収差はｇ線について示している。またＦｎｏはＦナンバー、ωは半画角（度）である。
【００２５】
本発明の撮影光学系は正の屈折力の第１レンズ群Ｌ１、負の屈折力の第２レンズ群Ｌ２、開口絞りＳＰ、正の屈折力の第３レンズ群Ｌ３から構成されている。第２レンズ群Ｌ２を光軸上像側へ移動させて無限遠物体から至近距離物体へのフォーカシングを行っている。
【００２６】
各実施例の撮影光学系において、第３レンズ群Ｌ３は、物体側より像側へ順に、第３レンズ群Ｌ３中の最大の空気間隔をはさんで互いに凹面を向けた２つのレンズＧ３ａ，Ｇ３ｂ、正レンズＧ３ｐを有している。全系の焦点距離をｆ、第２レンズ群Ｌ２の焦点距離をｆ２とする。このとき、
０．７０＜｜ｆ２／ｆ｜＜２．５０      ・・・（１）
なる条件式を満足している。
【００２７】
各実施例の撮影光学系は、物体側から像側へ順に、正の屈折力の第１レンズ群Ｌ１、負の屈折力の第２レンズ群Ｌ２、正の屈折力の第３レンズ群Ｌ３を有している。また、第２レンズ群と第３レンズ群Ｌ３の間に開口絞りＳＰを有している。
【００２８】
従来、撮影画角が４０°から６０°程度の広画角で長いバックフォーカスを有する撮影光学系として、所謂ガウス型の撮影光学系が知られている。ガウス型の撮影光学系は、広画角化と大口径比化及び長いバックフォーカスを得ることが比較的容易である。ガウス型の撮影光学系においてフォーカシングは、多くの場合、撮影光学系全体を移動させる全体フォーカス方式を用いている。このため、フォーカスレンズ群の重量が重く、高速なフォーカシングが困難になる傾向がある。
【００２９】
そこで、本発明の撮影光学系では、遠距離物体から近距離物体へのフォーカシング時に負の屈折力の第２レンズ群Ｌ２を像側へ移動させるインナーフォーカス方式を採用している。これにより撮影光学系全体を移動させる全体フォーカス方式に対し、フォーカスレンズ群を軽量化することができ、高速なフォーカシングを容易にしている。また、正の屈折力の第１レンズ群Ｌ１により、撮影光束を収斂させて第２レンズ群Ｌ２に入射させて、第２レンズ群Ｌ２の光線有効径を小さくして、さらにフォーカスレンズ群の有効径を小さくしてフォーカスレンズ群の小型化を達成している。
【００３０】
撮影画角が４０°から６０°程度の広画角な撮影光学系では、焦点距離が比較的短くなるため、長いバックフォーカスを確保するのが困難となる。さらに、大口径比化を行うとレンズ厚が増大し、さらに長いバックフォーカスを確保するのが困難となる。
【００３１】
そこで、本発明の撮影光学系では第３レンズ群Ｌ３を、物体側に負の屈折力成分を配置し、像側に正の屈折力成分を配置した所謂レトロフォーカス型のレンズ構成とすることで長いバックフォーカスを確保している。また、大口径比化を行うと、多くの場合、第１レンズ群Ｌ１より諸収差が多く発生する。特に球面収差、コマ収差の発生が増大し、また、ペッツバール和が正の方向に増大して像面湾曲が悪化し、画質が低下してくる。
【００３２】
そこで本発明の撮影光学系では、正の屈折力の第１レンズ群Ｌ１より発生する球面収差、コマ収差を負の屈折力の第２レンズ群Ｌ２で打ち消す（補正する）レンズ構成としている。
【００３３】
本発明の撮影光学系では遠距離物体から近距離物体へのフォーカシングに際して負の屈折力の第２レンズ群Ｌ２を像側へ移動させている。そのため、第２レンズ群Ｌ２の軸上光束は、無限遠物体に合焦状態に対して至近距離物体に合焦状態では低い位置に入射する。よって、至近距離物体の合焦状態では、第２レンズ群Ｌ２による収差打ち消し効果が低減し、フォーカシングによる収差の変動が大きくなる。
【００３４】
そこで、第３レンズ群Ｌ３の物体側に配置される負の屈折力成分として、物体側に強い凹面（負の屈折力のレンズ面）をむけた負レンズＧ３ｂを配置している。この物体側に強い凹面を有する負レンズＧ３ｂが、第２レンズ群Ｌ２より発生する球面収差やコマ収差の補正成分を分担し、第２レンズ群Ｌ２から発生する収差を小さくしている。これにより、フォーカシングによる収差の変動を低減することを容易にしている。
【００３５】
さらに、この物体側に強い負の屈折力の凹面を向けた負レンズＧ３ｂにより、第３レンズ群Ｌ３をレトロフォーカス型のレンズ構成としてバックフォーカスを長くする効果を強めている。また、ペッツバール和を小さくすることもでき、これにより像面湾曲の悪化を低減している。
【００３６】
各実施例において、第２レンズ群Ｌ２の焦点距離をｆ２、撮影光学系全系の焦点距離をｆとするとき、条件式（１）を満足している。
【００３７】
条件式（１）はフォーカスレンズ群である第２レンズ群Ｌ２の屈折力に関し、主に大口径比化しつつフォーカシングによる収差変動を低減するためのものである。条件式（１）の下限を超えて第２レンズ群Ｌ２の負の屈折力の絶対値が大きくなると、フォーカスの際の繰り出し量を低減することができ、全系の小型化が容易になるが、フォーカシングによる収差の変動が大きくなる。また上限を超えて第２レンズ群Ｌ２の負の屈折力の絶対値が小さくなると、フォーカシングのための繰り出し量が長くなり、全系が大型化してくる。
【００３８】
好ましくは、条件式（１）の数値範囲を以下のように設定するのが望ましい。
【００３９】
０．８０＜｜ｆ２／ｆ｜＜２．３０      ・・・（１ａ）
さらに好ましくは、条件式（１ａ）の数値範囲を以下のようにするのが望ましい。
【００４０】
０．９０＜｜ｆ２／ｆ｜＜２．１０      ・・・（１ｂ）
以上の構成をとることにより、各実施例においては撮影画角が４０°から６０°程度と広画角でＦナンバーが１．４程度と大口径比で、かつ、バックフォーカスの長いインナーフォーカス式の撮影光学系が容易に得られる。
【００４１】
各実施例において、さらにフォーカシングの際の収差変動を低減するために、第３レンズ群Ｌ３が、物体側より像側へ順に、第３レンズ群中の最大の空気間隔をはさんで互いに凹面を向けた２つのレンズＧ３ａ，Ｇ３ｂ、正レンズを有する構成としている。最大の空気間隔をはさんで互いに凹面を向けた２つのレンズＧ３ａ，Ｇ３ｂのうち、物体側に凹面を向けた負レンズＧ３ｂは、第３レンズ群Ｌ３の像側に比べ物体側に強い屈折力のレンズ面（凹面）を向けたレンズに相当している。
【００４２】
この強い物体側が凹形状で負の屈折力のレンズ面を配置することで、このレンズ面に球面収差、コマ収差、ペッツバール和の補正効果を分担させている。特に高次のコマ収差を低減している。軸上光束は正の屈折力の第１レンズ群Ｌ１により収斂され第２レンズ群Ｌ２に入射される。軸上光束は負の屈折力の第２レンズ群Ｌ２で発散されるが、第１レンズ群Ｌ１の強い収斂作用により、第２レンズ群Ｌ２の通過後は収斂された光束状態となる。収斂された光束が第３レンズ群Ｌ３のレンズＧ３ｂの物体側の凹形状のレンズ面に入射すると、高次の球面収差、コマ収差が発生する。
【００４３】
そこで、レンズＧ３ａを配置し、像側の凹形状のレンズ面で第１レンズ群、第２レンズ群を通過し収斂された軸上光束を発散させている。これによりレンズＧ３ｂの凹形状のレンズ面への入射角を低減して、高次の球面収差、コマ収差の発生を低減している。
【００４４】
各実施例において更に好ましくは次の条件式のうち１以上を満足するのが良い。
【００４５】
第３レンズ群Ｌ３中の最大の空気間隔をはさんで像側に配置されるレンズＧ３ｂの物体側のレンズ面の曲率半径をＲ３ｂとする。第３レンズ群Ｌ３中の最大の空気間隔をはさんで物体側に配置されるレンズＧ３ａの像側のレンズ面の曲率半径をＲ３ａとする。第１レンズ群Ｌ１の焦点距離をｆ１とする。第３レンズ群Ｌ３の焦点距離をｆ３とする。第２レンズ群Ｌ２は、少なくとも１つの正レンズＧ２ｐと少なくとも１つの負レンズＧ２ｎを有し、正レンズＧ２ｐのアッベ数をνｄとする。第３レンズ群Ｌ３に含まれる正レンズのうち、最も屈折力が強い正レンズＧ３ｐの焦点距離をｆｐとする。
【００４６】
このとき次の条件式のうち１以上を満足するのが良い。
【００４７】
０．２５＜｜Ｒ３ｂ／ｆ３｜＜０．６０      ・・・（２）
０．０２＜（Ｒ３ａ＋Ｒ３ｂ）／（Ｒ３ａ−Ｒ３ｂ）＜０．８０  ・・・（３）
νｄ＜２３．５    ・・・（４）
０．７０＜ｆ１／ｆ＜１．２０    ・・・（５）
０．７０＜ｆ３／ｆ＜１．５０    ・・・（６）
０．６０＜ｆ１／ｆ３＜１．３０  ・・・（７）
０．３０＜ｆｐ／ｆ＜１．００    ・・・（８）
次に前述した各条件式の技術的意味について説明する。
【００４８】
条件式（２）は、第３レンズ群Ｌ３の負レンズＧ３ｂの物体側のレンズ面の屈折力に関するもので、主にフォーカシングによる収差変動を低減するためのものである。条件式（２）の下限を超えて、負レンズＧ３ｂの物体側のレンズ面の負の屈折力の絶対値が大きくなると、このレンズ面より高次の球面収差、コマ収差が大きく発生し画質を低下させる。また条件式（２）の上限を超えてレンズ面の負の屈折力の絶対値が小さくなると、第２レンズ群Ｌ２の収差補正分担が大きくなり、フォーカシングの際の収差変動が大きくなる。
【００４９】
また、ペッツバール和が正の方向に大きくなり像面湾曲が悪化する。さらに、第３レンズ群Ｌ３のレトロフォーカス型のレンズ構成によるバックフォーカスを長くする作用が低下するため、長いバックフォーカスを得るのが困難になる。好ましくは、条件式（２）の数値範囲を以下のようにするのが望ましい。
【００５０】
０．２７＜｜Ｒ３ｂ／ｆ３｜＜０．５５  ・・・（２ａ）
さらに好ましくは、条件式（２ａ）の数値範囲を以下のようにするのが望ましい。
【００５１】
０．３０＜｜Ｒ３ｂ／ｆ３｜＜０．５０  ・・・（２ｂ）
条件式（３）は第３レンズ群Ｌ３に配置した２つの負の屈折力のレンズ面の曲率半径に関し、主に球面収差、コマ収差の補正分担に関するものである。条件式（３）の下限を超えて、第３レンズ群Ｌ３中の最大の空気間隔をはさんで像側に配置されるレンズＧ３ｂの物体側のレンズ面の屈折力が小さくなると、第１レンズ群Ｌ１で発生する球面収差、コマ収差等の補正が困難となり、画面全体の画質が低下する。
【００５２】
条件式（３）の上限を超えて、第３レンズ群Ｌ３中の最大の空気間隔をはさんで像側に配置されるレンズＧ３ｂの物体側のレンズ面の屈折力が大きくなると、高次の球面収差、コマ収差が多く発生し画質が大きく低下する。
【００５３】
好ましくは、条件式（３）の数値範囲を以下のようにするのが望ましい。
【００５４】
０．０５＜（Ｒ３ａ＋Ｒ３ｂ）／（Ｒ３ａ−Ｒ３ｂ）＜０．７０  ・・・（３ａ）
さらに好ましくは、条件式（３ａ）の範囲を以下のようにするのが望ましい。
【００５５】
０．０７＜（Ｒ３ａ＋Ｒ３ｂ）／（Ｒ３ａ−Ｒ３ｂ）＜０．６５  ・・・（３ｂ）
条件式（４）は第２レンズ群Ｌ２が少なくとも１つの正レンズＧ２ｐと少なくとも１つの負レンズＧ２ｎを有するときの、該正レンズＧ２ｐの材料のアッベ数を規定する。条件式（４）は、主にフォーカシングに際しての色収差の変動を低減するためのものである。条件式（４）の上限を超えて正レンズＧ２ｐの材料のアッベ数が大きくなりすぎると、負の屈折力の第２レンズ群Ｌ２による色収差の補正が不足し、物体距離全域で軸上色収差、倍率色収差の補正が困難になる。
【００５６】
条件式（５）は、第１レンズ群Ｌ１の屈折力に関し、主に高い光学性能を維持しつつ撮影光学系の大きさを適切に保つためのものである。条件式（５）の下限を超えて第１レンズ群Ｌ１の屈折力が大きくなると、フォーカスレンズ群に入射させる撮影光束を強く収斂させることができ、フォーカスレンズ群を小型化するのが容易となる。しかしながら第１レンズ群Ｌ１より球面収差やコマ収差が大きく発生し画質が低下してくるので良くない。条件式（５）の上限を超えて第１レンズ群Ｌ１の屈折力が小さくなりすぎると、光学全長（第１レンズ面から最終レンズ面までの距離）が大きくなるので良くない。
【００５７】
特に、第２レンズ群Ｌ２に入射する光束の収斂作用が小さくなるため、フォーカスレンズ群が大型化する。更に好ましくは、条件式（５）の数値範囲を以下のようにするのが望ましい。
【００５８】
０．７５＜ｆ１／ｆ＜１．１０      ・・・（５ａ）
条件式（６）は、第３レンズ群Ｌ３の屈折力に関し、主に高い光学性能を得るためのものである。
【００５９】
各実施例の撮影光学系は、物体側より像側へ順に、正の屈折力の第１レンズ群Ｌ１、負の屈折力の第２レンズ群Ｌ２、正の屈折力の第３レンズ群Ｌ３を有している。更に、第２レンズ群Ｌ２と第３レンズ群Ｌ３の間に開口絞りＳＰを有している。
【００６０】
これにより、レンズ全系で開口絞りＳＰに対して略対称な光学配置としている。この光学配置により、第１レンズ群Ｌ１より発生する軸外の収差、特に歪曲収差や倍率色収差等を第３レンズ群Ｌ３で補正している。
【００６１】
条件式（６）の数値範囲を超えると第１レンズ群Ｌ１と第３レンズ群Ｌ３の軸外の収差の打ち消し効果が不足し、歪曲収差や倍率色収差が増加してくる。
【００６２】
好ましくは、条件式（６）の数値範囲を以下のようにするのが望ましい。
【００６３】
０．７５＜ｆ３／ｆ＜１．４０  ・・・（６ａ）
条件式（７）は、第１レンズ群Ｌ１と第３レンズ群Ｌ３の屈折力の比に関し、主に軸外収差の補正を良好に行うためのものである。条件式（７）の範囲を超えると、第１レンズ群Ｌ１と第３レンズ群Ｌ３の軸外収差を補正する効果が不足し、歪曲収差や倍率色収差が増加してくる。
【００６４】
好ましくは、条件式（７）の数値範囲を以下のようにするのが好ましい。
【００６５】
０．７０＜ｆ１／ｆ３＜１．２０  ・・・（７ａ）
条件式（８）は第３レンズ群Ｌ３の正レンズのうち最も屈折力の強い正レンズＧ３ｐに関する。この正レンズＧ３ｐは最も像側に配置されている。条件式（８）は主に高い光学性能を維持しつつ、長いバックフォーカスを確保するためのものである。
【００６６】
各実施例の撮影光学系は、第３レンズ群Ｌ３のレンズ構成を、物体側に負の屈折力成分と像側に正の屈折力成分の所謂レトロフォーカス型として長いバックフォーカスが得られるようにしている。
【００６７】
条件式（８）の下限を超えて、第３レンズ群Ｌ３の正レンズＧ３ｐの屈折力が大きくなると、バックフォーカスを長くすることは容易になるが、ペッツバール和が正の方向に大きくなり像面湾曲が増大してくる。また条件式（８）の上限を超えて、第３レンズ群Ｌ３の正レンズＧ３ｐの屈折力が小さくなると、バックフォーカスを長くするのが困難となる。
【００６８】
好ましくは、条件式（８）の数値範囲を以下のようにするのが好ましい。
【００６９】
０．３５＜ｆｐ／ｆ＜０．９５    ・・・（８ａ）
さらに好ましくは、条件式（８ａ）の範囲を以下のようにするのが好ましい。
【００７０】
０．４０＜ｆｐ／ｆ＜０．９０    ・・・（８ｂ）
この他、各実施例の撮影光学系において、第３レンズ群Ｌ３は、物体側より像側へ順に、物体側のレンズ面が負の屈折力の負レンズＧ３ｂｂと正レンズを有する。そして全系の焦点距離をｆ、第２レンズ群Ｌ２をｆ２、第３レンズ群Ｌ３の焦点距離をｆ３、負レンズＧ３ｂｂの物体側のレンズ面の曲率半径をＲ３ｂｂとする。このとき、
０．７０＜｜ｆ２／ｆ｜＜２．５０        ・・・（１）
０．２５＜｜Ｒ３ｂｂ／ｆ３｜＜０．６０  ・・・（２ｘ）
なる条件式を満足する構成であっても良い。
【００７１】
このように本発明の撮影光学系においては第３レンズ群Ｌ３が物体側より像側へ順に、物体側のレンズ面が負の屈折力のレンズ面（凹面）の負レンズＧ３ｂｂと正レンズを有するレンズ構成であっても良い。そして条件式（１）を満足するとともに、負レンズＧ３ｂｂの物体側のレンズ面の曲率半径をＲ３ｂｂとするとき、前述した条件式（２ｘ）を満足すれば良い。
【００７２】
ここで条件式（２ｘ）の技術的意味は前述した条件式（２）と同じである。またこのとき条件式（１），（２ｘ）の下で前述した条件式（４）乃至（８）を満足することが好ましい。
【００７３】
次に各実施例のレンズ構成について説明する。図１の実施例１の撮影光学系における各レンズ群のレンズ構成に関して説明する。以下、各レンズ群は、物体側から像側へ順に配置されているものとする。第１レンズ群Ｌ１は、両凸形状の正レンズと両凹形状の負レンズ、両凸形状の正レンズの３つのレンズにより構成している。第１レンズ群Ｌ１において、最も物体側の正レンズは非球面を有している。
【００７４】
この非球面により主にコマ収差を良好に補正している。第２レンズ群Ｌ２は、両凸形状の正レンズＧ２ｐと両凹形状の負レンズＧｎを接合した接合レンズで構成している。第２レンズ群Ｌ２において、最も像側のレンズ面は非球面形状である。この非球面形状のレンズ面によりコマ収差を良好に補正している。
【００７５】
第３レンズ群Ｌ３は、両凸形状の正レンズと両凹形状の負レンズＧ３ａとを接合した接合レンズ、屈折力の絶対値が像側に比べて物体側に強い両凹形状の負レンズＧ３ｂと両凸形状の正レンズを接合した接合レンズ、両凸形状の正レンズＧ３ｐより構成している。第３レンズ群Ｌ３において最も像側のレンズ面は非球面形状である。この非球面形状のレンズ面にて軸外収差を良好に補正している。また、第２レンズ群Ｌ２と第３レンズ群Ｌ３の間に開口絞りＳＰを有している。
【００７６】
図３を参照して、本発明の実施例２の撮影光学系のレンズ構成について説明する。図３に示す実施例２の撮影光学系のレンズ構成（屈折力配置）は、実施例１と同じである。実施例２の撮影光学系において、各レンズ群のレンズ構成に関して説明する。以下、各レンズ群は、物体側から像側へ順に配置されているものとする。第１レンズ群Ｌ１は、物体側に凸面を向けたメニスカス形状の負レンズ、物体側が凹でメニスカス形状の正レンズ、物体側が凹でメニスカス形状の負レンズ、両凸形状で物体側のレンズ面が非球面形状の正レンズ、両凸形状の正レンズにより構成されている。
【００７７】
この両凸形状の正レンズの非球面形状により球面収差、コマ収差を良好に補正している。第２レンズ群Ｌ２と第３レンズ群Ｌ３のレンズ構成は、実施例１と同じである。大口径比でかつバックフォーカスの長いインナーフォーカス方式を実現する構成に関しては、実施例１と同様である。
【００７８】
図５を参照して、本発明の実施例３の撮影光学系のレンズ構成について説明する。図５に示す実施例３の撮影光学系のレンズ構成（屈折力配置）は、実施例１と同じである。実施例３の撮影光学系における各レンズ群のレンズ構成に関して説明する。以下、各レンズ群は、物体側から像側へ順に配置されているものとする。第１レンズ群Ｌ１と第２レンズ群Ｌ２のレンズ構成は実施例１と同じである。
【００７９】
第３レンズ群Ｌ３は、両凸形状の正レンズと両凹形状の負レンズＧ３ａを接合した接合レンズを有する。更に屈折力の絶対値が像側に比べて物体側に強く像側が凸でメニスカス形状の負レンズＧ３ｂと像側が凸でメニスカス形状の正レンズを接合した接合レンズ、両凸形状の正レンズＧ３ｐより構成している。第３レンズ群Ｌ３において最も像側のレンズ面は非球面形状である。この非球面形状にて軸外収差を良好に補正している。大口径比でかつバックフォーカスの長いインナーフォーカス方式を実現する構成に関しては、実施例１と同様である。
【００８０】
図７を参照して、本発明の実施例４の撮影光学系のレンズ構成について説明する。図７に示す実施例４の撮影光学系のレンズ構成（屈折力配置）は、実施例１と同じである。実施例４の撮影光学系における各レンズ群のレンズ構成に関して説明する。第１レンズ群Ｌ１、第２レンズ群Ｌ２、第３レンズ群Ｌ３のレンズ構成は実施例１と同じである。また大口径比でかつバックフォーカスの長いインナーフォーカス方式を実現する構成に関しても、実施例１と同様である。
【００８１】
以上、本発明の好ましい実施形態について説明したが、本発明はこれらの実施形態に限定されず、その要旨の範囲内で種々の変形及び変更が可能である。
【００８２】
次に、本発明の撮影光学系を用いた一眼レフカメラシステム（撮像装置）の実施例を図９を用いて説明する。
【００８３】
図９において、１０は一眼レフカメラ本体、１１は本発明による撮影光学系を搭載した交換レンズである。１２は交換レンズ１１を通して形成される被写体像を記録（受光）するフィルムや撮像素子などの記録手段である。１３は交換レンズ１１からの被写体像を観察するファインダー光学系、１４は交換レンズ１１からの被写体像を記録手段１２とファインダー光学系１３に切り替えて伝送するための回動するクイックリターンミラーである。
【００８４】
ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は記録手段１２に結像して記録される。１８はサブミラー、１９は焦点検出装置である。
【００８５】
このように本発明の撮影光学系を一眼レフカメラ交換レンズ等の撮像装置に適用することにより、画角が４０°から６０°程度と広画角でＦナンバーが１．４程度と大口径比のインナーフォーカス式の撮像装置が実現できる。尚、本発明はクイックリターンミラーのないカメラにも同様に適用することができる。
【００８６】
次に本発明の撮影光学系の実施例１〜４に対応する数値実施例１〜４を示す。数値実施例において、ｉは物体側から数えた面番号を示す。ｒｉは物体側より順に、第ｉ番目のレンズ面の曲率半径、ｄｉは第ｉ番目のレンズ厚または空気間隔、ｎｄｉとνｄｉは第ｉ番目のレンズの材質のｄ線の屈折率とアッベ数である。間隔が可変のところは物体距離が変化したときの値である。
【００８７】
また、非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０、Ａ１２を非球面係数とするとき、
ｘ＝（ｈ2／ｒ）／［１＋｛１−（１＋Ｋ）×（ｈ／ｒ）2｝1/2］＋Ａ４×ｈ4＋Ａ６×ｈ6＋Ａ８×ｈ8＋Ａ１０×ｈ10＋Ａ１２×ｈ12
なる式で表している。なお、数値の「Ｅ±ＸＸ」は「×１０±XX」を意味している。また、前述の各条件式と数値実施例との関係を（表１）に示す。
【００８８】
数値実施例１
単位 mm
面データ
面番号       r        d      nd         νd       有効径
1         61.471    5.22   1.85400    40.4       37.87
2*      -169.176    1.55                         36.77
3        -78.868    1.30   1.80809    22.8       36.24
4        131.780    0.20                         33.72
5         85.204    4.90   1.88300    40.8       33.11
6        -88.169  (可変)                         32.46
7        294.021    3.04   1.80809    22.8       30.59
8        -69.834    1.60   1.77250    49.6       30.12
9*        32.320  (可変)                         27.08
10(絞り)    ∞       0.70                         25.89
11         51.567    5.49   1.80400    46.6       25.55
12        -30.600    1.20   1.65412    39.7       25.19
13         30.799    7.37                         22.58
14        -16.352    1.50   1.85478    24.8       22.41
15         70.692    7.43   1.88300    40.8       27.93
16        -28.636    0.15                         30.28
17        153.506    8.05   1.85400    40.4       38.94
18*       -33.829  (可変)                         39.58
像面        ∞
【００８９】
非球面データ
第2面
K = 0.00000e+000  A 4= 1.89259e-006  A 6=-7.63221e-010 
A 8=-2.23250e-013  A10= 2.49921e-015 
第9面
K = 0.00000e+000  A 4= 8.69296e-007  A 6= 1.56418e-008 
A 8=-1.51039e-010  A10= 7.43393e-013  A12=-1.49889e-015
第18面
K = 0.00000e+000  A 4= 4.17822e-006  A 6= 2.03663e-009 
A 8= 1.86499e-013  A10= 8.53744e-016 
各種データ
焦点距離      49.53 
Fナンバー      1.45
半画角（度）  23.60 
像高          21.64 
レンズ全長    99.46 
BF            38.10 
物体無限遠  物体450mm
d 6            0.48   7.60
d 9           11.19   4.06
d18           38.10  38.10
入射瞳位置    31.21 
射出瞳位置   -73.38 
前側主点位置  58.74 
後側主点位置 -11.43 
ズームレンズ群データ
群  始面    焦点距離  レンズ構成長  前側主点位置  後側主点位置
L1    1      45.41        13.17         3.30         -4.97
L2    7     -48.86         4.64         2.98          0.37
L3   10      41.13        31.88        27.31          7.88
単レンズデータ
レンズ  始面  焦点距離
1       1     53.35
2       3    -60.89
3       5     49.73
4       7     70.09
5       8    -28.41
6      11     24.62
7      12    -23.29
8      14    -15.41
9      15     23.92
10      17     33.11
【００９０】
数値実施例２
単位 mm
面データ
面番号       r        d      nd         νd       有効径
1        165.189    2.50   1.72916    54.7       51.05
2         35.993    9.16                         44.48
3       -196.245    4.40   1.84666    23.9       44.41
4        -61.179   10.52                         44.31
5        -30.643    1.90   1.80809    22.8       36.00
6       -402.160    0.20                         37.79
7*       136.859    6.80   1.85400    40.4       38.30
8        -48.859    0.20                         38.68
9        109.645    5.82   1.72916    54.7       36.39
10        -51.807  (可変)                         36.38
11        187.717    2.40   1.80809    22.8       33.20
12       -185.275    1.50   1.77250    49.6       32.80
13*        40.799  (可変)                         30.43
14(絞り)    ∞       0.80                         29.46
15         73.090    5.24   1.83481    42.7       29.26
16        -60.391    1.30   1.51742    52.4       28.79
17         29.107    7.48                         26.34
18        -23.041    1.50   1.80809    22.8       26.32
19        154.263    6.01   1.88300    40.8       29.75
20        -32.463    0.15                         30.51
21        326.570    5.45   1.77250    49.6       33.83
22*       -38.496  (可変)                         34.41
像面        ∞
【００９１】
非球面データ
第7面
K = 0.00000e+000  A 4=-5.21875e-006  A 6= 5.13741e-009 
A 8=-2.05161e-011  A10= 4.53067e-014  A12=-4.02280e-017
第13面
K = 0.00000e+000  A 4= 1.91423e-006  A 6= 1.73656e-008 
A 8=-8.83548e-011  A10= 2.38442e-013  A12=-1.93864e-016
第22面
K = 0.00000e+000  A 4= 2.93084e-006  A 6=-9.04798e-009 
A 8= 7.06725e-011  A10=-2.46566e-013  A12= 3.02917e-016
各種データ
焦点距離      35.88 
Fナンバー      1.45
半画角（度）  31.09 
像高          21.64 
レンズ全長   126.92 
BF            38.77 
物体無限遠  物体300mm
d10            0.90  10.76
d13           13.91   4.06
d22           38.77  38.77
入射瞳位置    34.83 
射出瞳位置   -41.84 
前側主点位置  54.74 
後側主点位置   2.90 
ズームレンズ群データ
群  始面    焦点距離  レンズ構成長  前側主点位置  後側主点位置
L1    1      38.53        41.50        33.31         13.45
L2   11     -70.14         3.90         2.87          0.67
L3   14      48.17        27.93        23.65          4.63
単レンズデータ
レンズ  始面  焦点距離
1       1    -63.63
2       3    103.44
3       5    -41.14
4       7     42.88
5       9     49.00
6      11    115.72
7      12    -43.16
8      15     40.33
9      16    -37.77
10      18    -24.71
11      19     30.84
12      21     44.87
【００９２】
数値実施例３
単位 mm
面データ
面番号       r        d      nd         νd       有効径
1         55.053    5.48   1.85400    40.4       38.31
2*      -177.868    1.44                         37.89
3        -89.439    1.30   1.80809    22.8       37.72
4        104.212    0.74                         36.77
5         83.910    5.52   1.88300    40.8       36.70
6        -91.963  (可変)                         36.29
7        199.530    3.16   1.80809    22.8       33.53
8        -75.997    1.60   1.77250    49.6       33.18
9*        32.008  (可変)                         29.08
10(絞り)    ∞       1.50                         27.10
11        262.122    5.01   1.80400    46.6       26.63
12        -26.706    1.20   1.69895    30.1       26.40
13         64.679    8.08                         24.77
14        -15.491    1.50   1.85478    24.8       24.60
15        -61.957    6.35   1.88300    40.8       30.01
16        -20.907    0.15                         31.16
17        134.693    5.51   1.85400    40.4       36.58
18*       -54.170  (可変)                         37.02
像面        ∞
【００９３】
非球面データ
第2面
K = 0.00000e+000  A 4= 2.13244e-006  A 6=-2.33779e-009 
A 8= 5.23767e-012  A10=-4.15074e-015 
第9面
K = 0.00000e+000  A 4= 2.14399e-006  A 6=-1.36148e-008 
A 8= 1.72068e-010  A10=-7.81277e-013  A12= 1.01527e-015
第18面
K = 0.00000e+000  A 4= 1.02853e-006  A 6= 1.97165e-009 
A 8=-4.66405e-012  A10= 4.24595e-015 
各種データ
焦点距離      55.42 
Fナンバー      1.45
半画角（度）  21.33 
像高          21.64 
レンズ全長   100.44 
BF            40.24 
物体無限遠  物体450mm
d 6            0.48  7.61
d 9           11.19  4.06
d18           40.24  40.24
入射瞳位置    34.62 
射出瞳位置   -57.50 
前側主点位置  58.62 
後側主点位置 -15.18 
ズームレンズ群データ
群  始面    焦点距離  レンズ構成長  前側主点位置  後側主点位置
L1    1      44.24        14.48         3.63         -5.68
L2    7     -51.68         4.76         3.27          0.58
L3   10      47.00        29.30        28.11         12.45
単レンズデータ
レンズ  始面  焦点距離
1       1     49.77
2       3    -59.38
3       5     50.43
4       7     68.46
5       8    -28.97
6      11     30.38
7      12    -26.90
8      14    -24.53
9      15     33.32
10      17     45.85
【００９４】
数値実施例４
単位 mm
面データ
面番号       r        d      nd         νd       有効径
1         54.556    5.51   1.85400    40.4       37.84
2*      -185.573    1.55                         36.69
3        -82.615    1.30   1.80809    22.8       36.06
4        116.619    0.20                         33.46
5         95.909    4.83   1.88300    40.8       33.42
6        -85.738  (可変)                         33.07
7        673.485    2.92   1.80809    22.8       31.22
8        -68.661    1.60   1.72916    54.7       30.77
9*        31.342  (可変)                         27.51
10(絞り)    ∞       0.70                         26.31
11         49.193    4.72   1.80400    46.6       25.94
12        -47.373    1.20   1.64769    33.8       25.54
13         31.079    7.72                         23.36
14        -16.912    1.50   1.85478    24.8       23.22
15        170.183    7.47   1.88300    40.8       27.98
16        -25.506    0.15                         29.79
17        138.154    6.83   1.85400    40.4       37.95
18*       -42.713  (可変)                         38.51
像面        ∞
【００９５】
非球面データ
第2面
K = 0.00000e+000  A 4= 2.03324e-006  A 6=-1.40953e-009 
A 8= 1.77105e-012  A10= 8.86546e-018 
第9面
K = 0.00000e+000  A 4= 6.61881e-007  A 6= 1.24378e-008 
A 8=-1.05623e-010  A10= 4.71960e-013  A12=-8.97003e-016
第18面
K = 0.00000e+000  A 4= 1.91816e-006  A 6= 1.18504e-009 
A 8=-2.06851e-012  A10= 1.92835e-015 
各種データ
焦点距離      50.75 
Fナンバー      1.45
半画角（度）  23.09 
像高          21.64 
レンズ全長    98.17 
BF            38.29 
物体無限遠  物体450mm
d 6            0.48   7.47
d 9           11.19   4.19
d18           38.29  38.29
入射瞳位置    31.84 
射出瞳位置   -61.60 
前側主点位置  56.80 
後側主点位置 -12.46 
ズームレンズ群データ
群  始面    焦点距離  レンズ構成長  前側主点位置  後側主点位置
L1    1      45.14        13.40         3.01         -5.42
L2    7     -48.03         4.52         2.75          0.20
L3   10      42.42        30.29        26.26          7.33
単レンズデータ
レンズ  始面  焦点距離
1       1     49.90
2       3    -59.67
3       5     51.92
4       7     77.24
5       8    -29.31
6      11     30.68
7      12    -28.80
8      14    -17.93
9      15     25.58
10      17     38.88
【００９６】
【表１】
2014123018.tif 000003
【符号の説明】
【００９７】
Ｌ１  第１レンズ群      Ｌ２  第２レンズ群      Ｌ３  第３レンズ群
ＳＰ  開口絞り
【図１】
2014123018.tif 000004
【図２】
2014123018.tif 000005
【図３】
2014123018.tif 000006
【図４】
2014123018.tif 000007
【図５】
2014123018.tif 000008
【図６】
2014123018.tif 000009
【図７】
2014123018.tif 000010
【図８】
2014123018.tif 000011
【図９】
2014123018.tif 000012